(57)【特許請求の範囲】
【請求項１】
二つの水受け部と、半球穴の箸受け部を具備して下方に位置する台座に、鍋蓋の摘み部を係止して、該鍋蓋を略垂直状態で載置する載置体は、金属線材で上部が略Ｙ字状に曲折形成され、上部に係止部と停止部を下部に支持枠部を備え、該係止部は、上方に広げた逆ハの字状で、６０度から１２０度の角度に形成され、該停止部は、指の入らないスキマを有して下方に向けて形成され、前記支持枠部が前記台座の第一水受け部に固着され、一方、菜箸とスプーンを立てて載置する保持体は、金属線材で曲折形成され、支え部と保持枠部を備え、該支え部は上部が略水平でΩ字状に曲折形成され、菜箸が通過しないスキマが前記載置体方向に向けて設けられ、下方の前記保持枠部へ繋がり、該保持枠部が前記台座の半球穴の箸受け部の外側を跨いだ状態で前記台座に固着された構造を特徴とする料理用の鍋蓋スタンド。    
【請求項２】
前記台座の二つの水受け部に固着された前記金属線材の載置体と、前記台座の半球穴の箸受け部の外側を跨いだ状態で固着された前記保持体との間が、前記台座の中心部分となる配置で、該中心部分に鍋蓋が略垂直状態で入る所定の間隔を設けたことを特徴とする請求項１に記載の料理用の鍋蓋スタンド。  
【請求項３】
前記台座の底面に、弾性接着剤の塗布による滑り止めを数個所設けたことを特徴とする請求項１又は請求項２に記載の料理用の鍋蓋スタンド。
【発明の詳細な説明】
【技術分野】
【０００１】
本発明は、家庭等において料理中に鍋蓋、菜箸、スプーンを一時的に載置する用具に関するものである。
【背景技術】
【０００２】
従来家庭等において、料理中に鍋の蓋を取外し、菜箸で内容物を確認する場合、取外した鍋蓋は、通常裏返して調理台の上に暫定的に置くか、片手で持ったままで調理等を行うことが一般的であり、この問題を解決するため以下の提案がなされている。
【０００３】
例えば、特許文献１には、本出願人による複数の金属線材を円弧状の曲折形成により、複数の山部と谷部を設け、板状を基本にした台座に固着し、山部と谷部に鍋蓋を斜めに立てかけて載置し、残りの谷部には菜箸をねかせて置くことのできる構造が記されている。
【０００４】
特許文献２には、２枚の鋼板の夫々一端部がＶ字状に形成され、他端部が蝶番で接続されて、ストッパーでＬ字形に固定可能となり、Ｖ字状形成部に鍋蓋摘みを係止させて鍋蓋を略垂直状態に載置する。不使用時は折りたたんで収納する構造が記されている。
【０００５】
特許文献３には、線材の曲折と接合で、立方体が形成され、上下二段に仕切られ、上段の前面に∪字形の曲枠が設けられ、サイド部に菜箸入れ、下段底部にトレーが設けられており、上段に鍋蓋、下段にしゃもじ、フライ返し、スプーン等が載置できる構造が記されている。
【０００６】
特許文献４には、線材が2本Ｍ字状に曲折されてＭ字柱となり、該支柱の間に四角形に曲折された線材が、桟部分としてＭ字柱の下方に接合され、桟部分の両側の中央に主柱が設けられ、該主柱にＶ字状に曲折された線材が接合されている。鍋蓋受けの下部に汁受けトレーが設けられ、お玉も置ける構造が記されている。
【０００７】
特許文献５の、第一の実施例には、線材を曲折形成し所定の傾斜角度で載置する載置体と、該載置体の下方に、水受け体を設けて、ガスコンロ近傍の壁に吸盤で設置する構造。
第二の実施例には、線材がＭ字状に曲折され、左右が支持枠となり水受皿を接合してガスコンロの背面等に取り付ける構造。
第三の実施例には、上部中央が下方に湾曲した複数の蓋受壁が、水受皿を挟む状態で一体成型された構造で、それぞれ形態の異なる三例が記されている。
【先行技術文献】
【特許文献】
【０００８】
【特許文献１】特願２０１１−１３６８８４号
【特許文献２】特開２００７−１９０３４1号
【特許文献３】特開平１０−８０３６８号
【特許文献４】特開２００２−２４８０５８号
【特許文献５】特開平７−２９８９９３号
【発明の概要】
【発明が解決しようとする課題】
【０００９】
特許文献１は、鍋蓋を斜めに置く為、鍋蓋の倒れない一定のサイズが台座に求められ、コンパクト化には限界がある。又、菜箸は横向きに寝かせて置くことにより、調理台上のスペースが狭くなり、スプーンは置き難い。
【００１０】
特許文献２は、折りたたんで、コンパクトに収納できる利点はあるが、複数のＶ字状形成部に鍋蓋摘みを係止して略垂直状態に載置する方式であり、使用時は、片方が台座となり、Ｖ字形成部から蝶番までは鍋蓋の半径以上の寸法が必要で、サイズ大となる。そして、鍋蓋に付着した水滴受け部は無く、菜箸、スプーンを置くスペースも無い。
【００１１】
特許文献３と４は、線材の曲折と接合を主体に形成され、鍋蓋をメインに調理に必要なものを色々置くことができ便利であるが、大型化して移動が困難となり、調理台上が狭くなる。さらに、基本的に多くの線材を使用し、形状も複雑となり製造コストのアップが考えられる。
【００１２】
特許文献５の、第一の実施例は、鍋蓋は置き易いが、壁面への取り付けは設置が限られており、対面キッチン等では取り付けができない場合がある。
第二の実施例は、鍋蓋置き装置をガスコンロに設置する方法は、キッチンのガスコンロがビルトインタイプの場合は取付けが不可能である。又、鍋蓋摘みを係止する方法の線材のＶ字形成、又は、Ｕ字形成は鍋蓋摘みを持ち上げる際、線材を指で引っ掛けやすく、鍋蓋が取り難いことが考えられる。
第三の実施例は、鍋蓋置き装置はその形状から、鍋蓋が斜め載置となり、安定させる為には蓋受壁部の巾を広くし、色々な形状の鍋蓋に対応するために、蓋受壁部間を広くする必要があり、サイズも大きくなり、持ち運び難さが考えられる。又、上記第１〜第３の実施例には菜箸とスプーンの載置は考えられていない。  
【００１３】
そこで、本発明が解決しようとする課題は、載置面積の限られた調理台上を有効活用するため、コンパクトで簡単に持ち上げて移動ができ、料理中に鍋蓋と菜箸とスプーンの一時置きができ、色々な形状、サイズ、重量の鍋蓋を片手で略垂直状態に載置し、菜箸及び、スプーンを立てた状態で載置を可能にして、鍋蓋と菜箸とスプーンを同時に載置した状態でも調理台上での載置面積が最小となり、さらに、水滴受け部と箸受け部を設けて調理台を清潔に保て、シンプル構造で安価に製造できる鍋蓋と菜箸とスプーンの一時置きできる鍋蓋スタンドの提供である。
【課題を解決するための手段】
【００１４】
鍋蓋に付着した水滴を貯留できる二つの水受け部と、菜箸の先端部とスプーンの掬い部を受け止め、載置位置を安定させる半球穴の箸受け部を具備して、陶磁器、又は、プラスチック等で調理台上に載置できる形状に形成された下方に位置する台座に、鍋蓋摘みを係止して、前記鍋蓋を略垂直状態で載置する載置体は、金属線材で略Ｙ字状に曲折形成され、上部に係止部と停止部を下部に支持枠部を備え、該係止部は、上方に広げた逆ハの字状で、６０度から１２０度の角度に形成され、前記停止部は前記鍋蓋が前記載置体に載置された際、前記鍋蓋摘みが下方へ落下することなく、さらに、指の入らないスキマを有した状態で、下方に向け曲折形成され、前記鍋蓋摘みを持上げる際に、指が前記スキマ部分に当たり、該指を上方に摺動させながら前記鍋蓋摘みを掴んで持上げることができ、金属線材を指で引っ掛けて鍋蓋摘みと一緒に掴んで持ち上げることが完全に防止できる形状となり、前記係止部を上方に向けた状態で、前記台座の第一水受け部に、前記支持枠部を固着させる。一方、菜箸とスプーンを立てて載置する保持体は、金属線材で曲折形成され、支え部と保持枠部を備え、該支え部は上部の位置で略水平でΩ字状に形成され、菜箸が通過しない程度で、スプーンを挿入できるスキマを設け、前記載置体側方向に向けた状態で下方の保持枠部へ繋がり、該保持枠部を前記台座の半球穴の箸受け部の外側を跨いだ状態で固着された構造を要旨とする。
【００１５】
前記台座の第一水受け部に固着された前記上部が略Ｙ字状に形成された載置体と、前記台座の半球穴の箸受け部の外側を跨いだ状態で固着された上部が略水平のΩ字状に形成された前記保持体との間が前記台座の中心部分に位置し、該中心部分に前記鍋蓋が略垂直状態で入り、十分な安定状態が確保できる状態で、略Ｙ字状に形成された前記載置体に載置できる所定の間隔を前記載置体と、前記保持体との間に設けた構造を要旨とする。
【００１６】
前記台座の底面の各端部に、弾性接着剤の塗布による複数の滑り止めを設け、前記鍋蓋の載置を安定させた構造を要旨とする。
【発明の効果】
【００１７】
鍋蓋の略垂直載置と菜箸とスプーンを立てて載置することにより、台座のコンパクト化と載置時の面積が最小となり、調理台上の有効活用ができ、鍋蓋に付着した水滴を水受け部で受け止めて貯留でき、菜箸、又は、スプーンに付着した料理の汁も箸受け部で受け止め、調理台を清潔に保つことができる。
【００１８】
載置体の略Y字状のくびれ部が持ち上げ易い形状となり、調理台上の載置位置を簡単に移動することができる。
【図面の簡単な説明】
【００１９】
【図１】本発明に係る鍋蓋スタンドの全体を表す斜視図。
【図２】図１の正面図。
【図３】図２の平面図。
【図４】図２のＡ―Ａ断面図。
【図５】本発明の実施例で、鍋蓋と菜箸とスプーンを載置した状態を示す側面図。
【発明を実施するための形態】
【００２０】
以下に、本発明の実施形態について図1〜図５により詳細に説明する。図1は、鍋蓋スタンドの全体を表しており、載置体１は、金属線材が略Y字状に曲折形成されて係止部１aと停止部１ｂと支持枠部１ｃを具備し、鍋蓋５に付着した水滴を受け止める第１水受け部３a及び、第２水受け部３ｂと、菜箸７の先端を係止する箸受け部３ｃを具備した台座３の第１水受け部３aに係止部１aが上方の位置となり、支持枠部１ｃが垂直状態に固着されている。さらに、保持体２は、金属線材で上部が略水平のΩ字状に曲折形成された支え部２aと下部に保持枠部２ｂが形成され、該保持枠部２ｂの下端部が台座３の箸受け部３ｃの近傍を跨いだ状態で垂直状態に固着されている。図５は、載置体１に鍋蓋５を略垂直状態に載置して、保持体２に菜箸７とスプーン８を立てた状態で一緒に載置できる構造を示している。  
【００２１】
図2と図４に示す載置体1の停止部１ｂは、載置体１の上方で中心部に位置し、係止部１ａより若干長く下方に形成されている。停止部１ｂ間のスキマは６ｍｍ以下が望ましく、指の先端部が入らないスキマであって、指の停止ができればよい。
【００２２】
係止部１ａは載置体１の最上部に位置し、左右が対称で、鍋蓋摘み６が係止できる寸法を有し、上方に広げた逆ハの字状で６０度から１２０度の角度で形成され、係止部１ａと停止部１ｂに沿って下方へ曲折されて略Ｙ字状となり、支持枠部１ｃが形成される。停止部１ｂと係止部１ａと支持枠部１ｃ間のスキマは６ｍｍ以下が望ましく、夫々指の入らない状態であればよい。    
【００２３】
図2に示す、支持枠部１ｃは停止部１ｂの左右の近傍から下部方向に若干広げた状態に形成され、停止部１ｂの左右近傍がくびれた状態となり、台座３の第１水受け部３ａに垂直状態に固着される。停止部１ｂの左右近傍が若干くびれた状態により、載置体１を握り易く、持ち上げが容易になる。
【００２４】
図５は、鍋蓋摘み６が載置体１の係止部１ａに、鍋蓋５の下端部が支持枠部１ｃに係止して略垂直状態で載置体１に載置した状態を示している。鍋蓋５を取外す際は鍋蓋摘み６を摘む指先が停止部１ｂに当り、指を上方にずらしても停止部１ｂと係止部１ａと支持枠部１ｃ間のスキマが６ｍｍ以下に形成されていることにより、載置体１を指先が引っ掛けて持ち上げること無く鍋蓋摘み６を持って鍋蓋５を持ち上げることができる。
【００２５】
支持枠部１ｃの高さ方向の寸法は、係止部１ａに鍋蓋摘み６が係止した状態で通常の鍋蓋５が台座３の上面に接触しない高さで、図５に示す状態であればよい。支持枠部１ｃの高さ寸法は鍋蓋５のサイズにより変更は可能である。
【００２６】
図１に示す載置体１の金属線材は、ステンレスが望ましいが、防錆処理を施した鉄、又は、黄銅等で、その他、耐熱性のプラスチック線材であってもよく、又、形状が図２の略Ｙ字状であれば金属板、又は、プラスチック板でもよい。どちらも、鍋蓋摘み６が係止部１ａに係止して鍋蓋５を略垂直状態で載置した際、鍋蓋５の重量に十分耐えることができればよい。
【００２７】
台座３は、色々な形に造形できる陶磁器、又は、合成樹脂からなり、図１と図３は、ハート形の成形例を示し、上部を表面、下部で調理台と接する面を裏面とし、ハート形の外周の窪み部側の表面に、第１水受け部３ａ及び、第２水受け部３ｂを設ける。角部側に、箸受け部３ｃを設けた形成である。第１水受け部３ａは、載置体１の支持枠部１ｃが垂直状態に固着する位置となり、鍋蓋摘み６が載置体１の係止部１ａに係止、鍋蓋５の下端部が支持枠部１ｃに係止して鍋蓋５が略垂直状態で載置した状態で、図４と図５に示す、鍋蓋５の荷重を台座３の中心部分で受け止めることができる位置に配置されて台座３の表面より１〜２ｍｍ下がった状態に形成されている。さらに、鍋蓋５の表面に付着した水滴の一部は鍋蓋５の下端部で支持枠部１ｃに係止した部分より、支持枠部１ｃを伝って流れ落ちるため、この水滴を第１水受け部３ａで受け止め、第２水受け部３ｂに流れ落ちることのできる勾配を設けて形成されている。
【００２８】
第２水受け部３ｂは、水滴を受け止め易い幅と形状に形成され、水滴を貯留できる容量を備えた穴である。該穴の底部の隅は円弧状に形成し、汚れが付着した時の清掃を容易にしている。
【００２９】
台座３の箸受け部３ｃは、ハート形の角部側に位置し、図４に示す半球形で下方へ若干沈んだ状態の穴に形成されている。半球形の穴にすることにより、菜箸７を立てて入れた際、菜箸７の重量により先端部が常に中心部近傍に移動して係止する。又、汚れが付着した時の清掃も容易である。
【００３０】
図４に示す台座３の裏面は、調理台への設置面をハート形の外周部に設け、中央部は図４に示すように、窪んだ形状の成形としてもよい。これにより成形材料の削減ができる。
【００３１】
台座３は、ハート形の成形品で説明したが、第１水受け部３ａと第２水受け部３ｂと箸受け部３ｃが具備され、載置体１と保持体２が固着でき、鍋蓋５を略垂直状態に載置した状態で、鍋蓋５の荷重を台座３の中心部で受け止めることができる位置に配置され、安定が保たれれば形状は、円形、三角形、四角形、多角形、各種の絵柄でもよく、材料も陶磁器、合成樹脂以外に金属板による型絞り成形でもよい。又、第１水受け部３ａと第２水受け部３ｂと箸受け部３ｃの形状も前記に説明した目的が達成されれば形状にこだわる必要はない。
【００３２】
図1と図2と図４に示す、滑り止め4は、台座３の裏面外周部で調理台との接触部に、ゴム体、柔軟性のあるプラスチック等の接合、又は、弾性接着剤の塗布等により数箇所設けられ、鍋蓋５の載置時に台座３を安定させ、調理台を保護する。
【００３３】
図１〜図５に示す保持体２は、金属線材で上端部が略水平でΩ字状に曲折されて支え部２ａが形成され、略Ｌ字状の曲折で下方に保持枠部２ｂが形成される。保持枠部２ｂは下方に向け図２に示す、下部方向に若干広げた状態に形成されて、下端部が台座３の箸受け部３ｃの外側を跨いだ状態で垂直状態に固着される・
【００３４】
支え部２ａのΩ字形状は図３に示すとおり、載置体１側方向にスキマを設けた状態の設置となり、該スキマは菜箸７が通過しない程度で、スプーン８の柄の中央部分が通過できる２〜４ｍｍ程度が望ましい。該スキマによりスプーン８の柄の中央部分から挿入して、図５に示す、スプーン８の掬い部が台座３の箸受け部３ｃの内周上部に係止して保持が可能となる。図２に示すΩ字状の位置は、高さ方向においては特に限定はしないが載置体１の半分程度となり、菜箸が安定して保持できる高さであって、スプーン８も保持が可能であればよい。台座３に対しては、図３と図４に示す、支え部２ａが略水平で箸受け部３ｃから少し台座３のハート形の角側寄りになり、台座３からはみ出さない位置が望ましい。これにより、菜箸７とスプーン８は図５に示すように、鍋蓋５の反対方向に傾斜して保持され、菜箸７とスプーン８の安定保持と、Ω字状の支え部２ａ内への出し入れが容易になる。  
【００３５】
図１〜図４に示す保持体２の金属線材は、ステンレスが望ましいが、防錆処理を施した鉄、又は、黄銅等で、その他、耐熱性のプラスチック線材であってもよく、菜箸７とスプーン８の安定した保持ができればよい。又、類似の形状で菜箸７とスプーン８の安定した保持ができれば金属板、又は、プラスチック板による形成でもよい。
【００３６】
載置体１と保持体２が台座３に固着された状態で、載置体１と保持体２の間隔は、図５に示すとおり、色々な形状、サイズ、重量の鍋蓋５が略垂直状態で載置できる間隔があればよい。該間隔を広くすれば鍋蓋５の載置は容易になるが、台座３の面積が拡大し、本発明の趣旨に反するので、種々の鍋蓋が効率よく載置でき、支え部２ａへ菜箸７とスプーン８の出し入れが鍋蓋５に邪魔されることなく容易にできる最小間隔があればよい。又、この間隔部分が台座３の中心部分になるよう載置体１と保持体２の配置をすることにより、鍋蓋５の荷重が台座３の中心部分にかかり載置を安定させる、従ってこの形状にすることにより、台座３を図５の如く小さくすることが可能となる。
【００３７】
鍋蓋スタンドの使用方法は、図５に示すとおり、料理中又は、料理後に一時的に鍋より鍋蓋５の鍋蓋摘み６を持って載置体１と保持体２の間に鍋蓋５を入れ、鍋蓋摘み６を係止部１に係止させ、鍋蓋５の下端部が支持枠部１ｃで係止して載置される。この鍋蓋５に付着した水滴は、表面張力により鍋蓋５の表面に沿って下端中心部に流れ、台座３の第２水受け部３ｂに直接垂れ落ち貯留される場合と、鍋蓋５の下端部で支持枠部１ｃに係止した接触部分からの水滴は載置体１の支持枠部１ｃを伝って、台座３の第１水受け部３ａから第２水受け部３ｂに流れ落ち貯留される。これにより、鍋蓋５に付着した水滴で調理台を汚すことはなく、清潔が保たれる。                                      
【００３８】
鍋蓋５を載置した状態で、菜箸７を支え部２ａのΩ字状内に入れ、先端部を台座３の箸受け部３ｃで係止させ、菜箸７を持った手を離せば、菜箸７の先端部は自然に箸受け部３ｃの中心部に位置し、図５に示す、鍋蓋５の反対方向に傾斜して支え部２ａで保持される。料理時に菜箸７に付着した汁類は、箸受け部３ｃに貯留され、調理台上を汚すことはなく、清潔が保たれる。さらに、菜箸７が保持された状態で、スプーン８の柄の上端部を持ち、中間部を支え部２ａのΩ字状のスキマから挿入する。箸受け部３ｃの内周上部でスプーン８の掬い部を係止し、菜箸７と一緒に安定した保持が可能となり載置できる。スプーン８の載置後、菜箸７を入れてもよい。又、菜箸７とスプーン８を夫々単独で載置してもよい。
【００３９】
鍋蓋５と菜箸７とスプーン８を載置した状態で、載置体１の略Ｙ字状の上部で係止部１ａの下部を持ち上げて移動することも可能である。鍋蓋５の略垂直載置と菜箸７とスプーン８を立てて載置することにより、鍋蓋スタンドの載置面積が最小となり、調理台が有効に活用できる。  
【００４０】
以上、鍋蓋スタンドについて説明したが、発明の趣旨を逸脱しない範囲で種々の改変は可能である。例えば、図１〜図４に示す類似形状で、鍋蓋５と菜箸７とスプーン８の載置が可能であれば、合成樹脂による一体成型でもよい。
【符号の説明】
【００４１】
１    載置体    
１ａ  係止部
１ｂ  停止部
１ｃ  支持枠部
２    保持体
２ａ  支え部                         
２ｂ  保持枠部
３    台座 
３ａ  第１水受け部
３ｂ  第２水受け部
３ｃ  箸受け部
４    滑り止め
５    鍋蓋
６    鍋蓋摘み
７    菜箸
８    スプーン
【図１】
0005432327.tif 000002
【図２】
0005432327.tif 000003
【図３】
0005432327.tif 000004
【図４】
0005432327.tif 000005
【図５】
0005432327.tif 000006